(57)【要約】【課題】検出器の内部構成要素への損傷を防止および／または制限するために、筐体に作用するショックおよび他のタイプの力に耐える検出器の能力を増加させることができる、対象物のＸ線画像を得るためのＸ線検出器を提供する。【解決手段】筐体は、ハニカムまたは他の格子構造などの剛性発泡剤および／または適切な構造などの軽量で剛性の材料から形成される内部充填材／力分散層を含む。この材料は、検出器の内部の層または部分を充填するように形成または成形され、その他の点では検出器の様々な内部構成要素の間に画定される空の空間である。力分散層の位置および形状は、検出器の内部構成要素から離れた筐体を横切る、または筐体を通る負荷分布の経路を決定し、ショック吸収および／または負荷分散のために最適化される。【選択図】図３
2019066464.tif 000002
【特許請求の範囲】
【請求項１】
Ｘ線検出器（１４）であって、
筐体（１２２）と、
前記筐体（１２２）内に配置される撮像装置（１０８）と、
前記筐体（１２２）内に配置されて前記撮像装置（１０８）に動作可能に接続される電子機器層（１１４）と、
前記筐体（１２２）内および前記電子機器層（１１４）と前記筐体（１２２）との間に配置される少なくとも１つの充填材層（１２４）と、
を備える、Ｘ線検出器（１４）。
【請求項２】
前記少なくとも１つの充填材層（１２４）が、高圧縮強度および低密度を有する材料である、請求項１に記載の検出器（１４）。
【請求項３】
前記少なくとも１つの充填材層（１２４）を形成する前記材料が、６０ｐｓｉから２５０ｐｓｉの圧縮強度を有する、請求項２に記載の検出器（１４）。
【請求項４】
前記少なくとも１つの充填材層（１２４）を形成する前記材料が、３ｌｂｓ／ｆｔ３から４０ｌｂｓ／ｆｔ３の間の密度を有する、請求項２に記載の検出器（１４）。
【請求項５】
前記少なくとも１つの充填材層（１２４）を形成する前記材料が、発泡材料である、請求項２に記載の検出器（１４）。
【請求項６】
前記少なくとも１つの充填材層（１２４）が、複数の開口部（１２６）を含み、前記開口部（１２６）が、前記電子機器層（１１４）の構成要素の上に配置される、請求項１に記載の検出器（１４）。
【請求項７】
前記電子機器層（１１４）が、前記構成要素が配置される回路基板（１２８）を含み、前記少なくとも１つの充填材層（１２４）が、前記構成要素の周りで前記回路基板（１２８）と接触する、請求項６に記載の検出器（１４）。
【請求項８】
前記少なくとも１つの充填材層（１２４）が、複数の材料で形成される、請求項１に記載の検出器（１４）。
【請求項９】
第１の材料の第１の層と、
第２の材料の第２の層であって、前記第２の層が前記第１の層に隣接している、第２の層と、
をさらに備える、請求項８に記載の検出器（１４）。
【請求項１０】
前記第１の材料および前記第２の材料が、異なる圧縮強度を有する、請求項９に記載の検出器（１４）。
【請求項１１】
前記第１の層が、前記第２の層を少なくとも部分的に覆う、請求項９に記載の検出器（１４）。
【請求項１２】
前記第１の層または前記第２の層の少なくとも一方が、その中に複数の開口部（１２６）を含む、請求項９に記載の検出器（１４）。
【請求項１３】
前記充填材層が、前記電子機器層（１１４）と前記筐体（１２２）との間の前記筐体（１２２）内の内部空間全体を満たす、請求項１に記載の検出器（１４）。
【請求項１４】
Ｘ線撮像システム（１０）と共に使用するための検出器（１４）を形成する方法であって、前記方法は、
高圧縮強度、低密度材料の少なくとも１つの充填材層（１２４）を形成するステップであって、前記少なくとも１つの充填材層（１２４）が前記少なくとも１つの充填材層（１２４）を少なくとも部分的に貫通して伸びる複数の開口部（１２６）を含む、ステップと、
前記検出器（１４）を介して前記検出器（１４）に作用する力を分散するために前記検出器（１４）用の筐体（１２２）内に電子機器層（１１４）と前記筐体（１２２）との間に前記少なくとも１つの充填材層を配置するステップと、
を備える、方法。
【請求項１５】
前記少なくとも１つの充填材層（１２４）を形成する前記ステップと、前記少なくとも１つの充填材層（１２４）を前記筐体（１２２）内に配置する前記ステップとが同時に行われる、請求項１４に記載の方法。
【請求項１６】
前記少なくとも１つの充填材層（１２４）を形成する前記ステップが、
第１の層を形成するステップと、
第２の層を形成するステップと、
前記第１の層と前記第２の層とを互いに隣接して配置するステップと、
を備える、請求項１４に記載の方法。
【請求項１７】
前記第１の層および前記第２の層を相互に配置する前記ステップが、前記第１の層および前記第２の層をさらに製造するステップを備える、請求項１６に記載の方法。
【請求項１８】
前記少なくとも１つの充填材層を配置する前記ステップが、前記電子機器層（１１４）上に配置された構成要素の上に前記複数の開口部（１２６）を配置するステップを備える、請求項１６に記載の方法。
【請求項１９】
前記第１の層および前記第２の層を互いに隣接して配置する前記ステップが、前記第１の層および前記第２の層を互いに取り付けるステップを備える、請求項１６に記載の方法。
【発明の詳細な説明】
【技術分野】
【０００１】
本発明は、Ｘ線検出器構造に関する。
【背景技術】
【０００２】
手荷物や患者の身体などの物体の内部構造のＸ線画像を得るために、様々なタイプの撮像システムが使用される。多くの先行技術の撮像システムでは、検出器は、撮像システムの残りの部分から分離可能な構成要素として形成される。検出器は、Ｘ線画像を形成するためのＸ線の衝突を検出するために必要な検出器の構成要素を囲むハウジングを有するカセット状構造として形成される。
【０００３】
多くの検出器構造において、カセット筐体は、カセットからフロントカバーに固定された剛性のバックカバーを含む。筐体は、Ｘ線を受ける撮像装置、撮像装置からデータを受け取るための様々な電子構成要素、後方散乱シールド、および検出器の様々な構成要素に電力を供給するための電源を含む、検出器を要望通りに機能させるための様々な構成要素を含む。
【０００４】
検出器の構成要素のために利用される材料は、検出器に構造的完全性をもたらし、内部構成要素に対し一定の保護レベルをもたらすために、本質的に剛性である。しかし、使用時には、検出器および撮像システムでＸ線画像を得る前に、患者を検出器の直立位置に置いた場合など、検出器に大きなストレスが加えられる。
【０００５】
このような状況では、検出器を踏むと、筐体が撓み、筐体および／または筐体内の構成要素が、撓みおよび加えられた圧力の結果として亀裂または変形をさせられる可能性がある。さらに、検出器が落下した場合、衝撃によるショックの力はまた、筐体および／または検出器の内部構成要素を損傷させる可能性がある。
【０００６】
検出器の構造に関するこれらの問題に対処するために、先行技術の検出器は、内部構成要素と筐体との間の筐体内に配置されたショックマウントを含む。マウントは、エラストマ、ゴム、または同様の材料で形成され、筐体と内部構成要素との間の特定の取り付け点／接触点において、内部構成要素を筐体と分離または間接的に接続するように動作する。筐体にストレスまたは力が加えられると、ショックマウントを形成する材料の圧縮可能な性質により、内部構成要素が、筐体内で移動する（例えば、２から３ｍｍ）こと、および／または筐体に対してシフトすることが可能となり、内部構成要素への力の影響を最小限に抑えようとする。
【０００７】
しかし、ショックマウントは、筐体に加えられた力の影響を大幅に削減することなく、マウントを介して筐体に直接加えられる力を導くことしかできない。さらに、ショックマウントを含めることで、空間があまりない場合に検出器の内部構造が複雑になる。また、ショックマウントは、筐体に対する力の影響に対処しないので、検出器筐体の構造に大きな利点をもたらさない。
【０００８】
したがって、検出器筐体および筐体の内部構成要素の両方を保護するために、筐体に加えられる力を効果的に分散することができる筐体を有するＸ線撮像システム用の検出器を提供することが望ましい。
【先行技術文献】
【特許文献】
【０００９】
【特許文献１】米国特許出願公開第２０１５０１６４４４７号明細書
【発明の概要】
【００１０】
検出器の内部構成要素への損傷を防止および／または制限するために、筐体に作用するショックおよび他のタイプの力に耐える検出器の能力を増加させることができるＸ線検出器用の筐体が必要であるか、または望まれる。筐体は、ハニカムまたは他の格子構造などの適切な構造を有する剛性発泡剤などの軽量で剛性の材料から形成された内部充填材／力分散層を含む。この材料は、検出器の内部の層または部分を充填するように形成または成形され、その他の点では検出器の様々な内部構成要素の間に画定される空の空間である。力分散層の位置および形状は、検出器の内部構成要素から離れた筐体を横切る、または筐体を通る負荷分布の経路を決定し、ショック吸収および／または負荷分散のために最適化される。
【００１１】
力分散層は、筐体内の負荷分散器、ショックアブソーバ、および／またはシャーシとして機能する。力分散層は、バッテリなどの検出器の様々な内部構成要素の位置に対応するカットアウトまたはポケット、ならびに／もしくは検出器の筐体内に配置された回路基板上に配置された構成要素群を取り囲む小さなカットアウトを含む。力分散層の位置決めは、影響を受けやすい構成要素にストレスを加えることなく検出器を介して、または回路基板の構成要素にストレスをかけることなく回路基板を介して、筐体に及ぼされる負荷または他の力をより均等に分散させることを可能にする。例えば、力分散層を含む検出器への個々の踏みつけについて、負荷は、力分布層を介して、筐体を通って前面から背面に分散される。さらに、この力分散能力の結果として、力分散層を含む筐体は、筐体上の別個のショックマウントおよび／または構造的な支持リブの必要性を排除することができる。筐体の前面および背面の平面剛性はそれほど重要ではないので、筐体材料をさらに薄くすることも可能とすることができる。
【００１２】
本発明のさらなる例示的な態様によれば、Ｘ線検出器は、筐体と、筐体内に配置される撮像装置と、筐体内に配置されて撮像装置に動作可能に接続される電子機器層と、筐体内および電子機器層と筐体との間に配置される少なくとも１つの充填材層とを含む。
【００１３】
本発明のまたさらなる態様によれば、Ｘ線撮像システムと共に使用するための検出器を形成する方法は、高圧縮強度、低密度材料の少なくとも１つの充填材層を形成するステップであって、少なくとも１つの充填材層が少なくとも１つの充填材層を少なくとも部分的に貫通して伸びるいくつかの開口部を有する、ステップと、検出器を介して検出器に作用する力を分散するために電子機器層と筐体との間に検出器用の筐体内に少なくとも１つの充填材層を配置するステップと、を含む。
【００１４】
上記の簡単な説明は、詳細な説明でさらに説明される概念の選択を簡略化した形で紹介するために提供されていることを理解されたい。特許請求される主題の重要なまたは本質的な特徴を特定することは意図されておらず、その主題の範囲は詳細な説明に添付される特許請求の範囲によって一義的に定義される。さらに、特許請求される主題は、上記のまたは本開示の任意の部分に記載の欠点を解決する実施態様に限定されない。
【００１５】
図面は、本開示を実施するための現在考えられる最良の形態を示す。図面は以下の通りである。
【図面の簡単な説明】
【００１６】
【図１】本発明の例示的で非限定的な実施形態に従って形成された医用撮像システムの絵画図である。
【図２】本発明の例示的で非限定的な実施形態によるＸ線検出器カセット／筐体の等角図である。
【図３】図２の検出器カセット／筐体の分解図である。
【図４】本発明の例示的で非限定的な実施形態に従って構成された力分散層の等角図である。
【図５】本発明の別の例示的で非限定的な実施形態による電子機器層に取り付けられた力分散層の平面図である。
【図６】本発明の別の例示的で非限定的な実施形態に従って構成された力分散層の上面図である。
【図７】図６の力分散層の部分破断斜視図である。
【発明を実施するための形態】
【００１７】
以下の詳細な説明では、本明細書の一部を形成する添付の図面を参照し、例示のために実施可能な特定の実施形態を示す。これらの実施形態は、当業者が実施形態を実施できるように十分詳細に記載されており、他の実施形態も利用することができること、ならびに論理的、機械的、電気的およびその他の変更を、実施形態の範囲から逸脱せずに行うことができることを理解すべきである。したがって、以下の詳細な説明は、限定的な意味で解釈すべきではない。
【００１８】
図１は、本発明の一実施形態に従って形成された例示的な撮像システム１０の概略図である。本発明の様々な実施形態は、図１に示される例示的な医用撮像システム１０と共に使用することができる。医用撮像システム１０は、例えば、Ｘ線撮像システムまたはトモシンセシス撮像システムなどの、任意のタイプの撮像システムとすることができる。さらに、様々な実施形態は、人間の被験者を撮像するための医用撮像システムに限定されず、人間以外の物体を撮像するための獣医学システムもしくは非医用システム、または非破壊検査システム（例えば、空港荷物システム）などを含むことができる。
【００１９】
好ましい実施形態の医用撮像システム１０は、Ｘ線源１２と少なくとも１つの検出器１４とを含むデジタル放射線撮像システム１０である。例示的な実施形態では、検出器１４は携帯型Ｘ線検出器である。図２に示されているように、検出器１４は、様々な位置および用途において、固定状態または携帯可能状態のいずれかで利用することができる。Ｘ線源１２はガントリ１６に取り付けられている。ガントリ１６は、Ｘ線源１２を撮像される被験者１８に対して適切に配置できるように、またはＸ線源１２を１つの撮像室から別の撮像室に移動させることができるように、移動可能とすることができる。任意選択的に、ガントリ１６は、例えば、床または天井に取り付けてもよい。
【００２０】
カセットホルダ２２が壁２４または支柱２６に結合される場合、カセットホルダ２２はしばしば壁ブッキーと呼ばれる。また、カセットホルダ２２は、撮像テーブル３１に固定設置してもよい。撮像テーブル３１に設置される場合、カセットホルダ２２はテーブルブッキーと呼ばれることがある。固定状態では、検出器１４は、カセットホルダ２２から電力を受け取る。
【００２１】
カセットホルダまたはブッキー２２はまた、Ｘ線検出器が撮像ワークステーション３０などの撮像ワークステーションと通信することを可能にする。動作中、情報は、カセットホルダ２２内の配線（イーサネット（登録商標）ケーブルなど）を介してワークステーション３０から検出器１４に送信される。さらに、検出器１４によって生成された情報は、カセットホルダ２２内の配線（イーサネット（登録商標）ケーブルなど）を介してワークステーション３０に送信することができる。生成および送信される情報は、無線接続がサポートできるよりも高いレートである可能性がある。したがって、固定状態では、検出器１４は、カセットホルダ２２に固定位置で取り付けられ、電力および通信信号は、カセットホルダ２２を介して検出器１４から送信され、検出器１４に受信される。
【００２２】
別の動作モードでは、検出器１４は携帯可能状態で動作する。例えば、携帯可能状態では、検出器１４は充電ビン２０に設置される。充電ビン２０は、検出器１４に設置されたバッテリ（図示せず）を充電するために検出器１４に電力を供給するように構成されているが、検出器１４と撮像ワークステーション３０との間に有線通信経路を提供しない。別の携帯可能状態では、検出器１４は、検出器１４に設置されたバッテリから動作電力を受け取る。この携帯可能状態は、本明細書ではデジタルカセットモードとも称する。さらに、動作信号および通信信号は、検出器１４とワークステーション３０との間で無線で送信される。例えば、図１に示すように、携帯可能状態では、検出器１４は、被験者１８の下のテーブル３１上に配置することができる。検出器１４は、被験者１８に隣接する別個のテーブル３３上に配置することもできる。したがって、携帯可能状態では、検出器１４は、カセットホルダ２２に結合されていない。
【００２３】
図２および図３に示す例示的な実施形態を見ると、検出器１４は、フロントカバー１０２およびリアカバー１０４を伴い形成されたハウジング１００を含む。フロントカバー１０２およびリアカバー１０４は、通常、検出器１４の重量を大幅に増加させることなく検出器１４の内部構成要素を保護するために、剛性で軽量の材料で形成される。例示的な実施形態では、フロントカバー１０２は、炭素繊維材料などの、Ｘ線に対して透明な材料で形成され、一方、リアカバー１０４は、軽量マグネシウム合金材料などの金属から形成される。
【００２４】
フロントカバー１０２とリアカバー１０４との間には、検出器１４の内部構成要素がフロントカバー１０２に直接隣接して配置される発泡体層１０６を含み、発泡体層１０６は、剛性フロントカバー１０２と発泡体層１０６に隣接して配置された撮像装置１０８との間に分離層を提供する。撮像装置１０８は、撮像装置１０８に入射するＸ線の入射に関する画像データを提供するために、撮像装置１０８に当たるＸ線を検出することができる材料で、既知の方法で形成される。
【００２５】
撮像装置１０８に隣接しているが、発泡体層１０６の反対側には、撮像装置１０８を通過する、または撮像装置１０８の周りを通過する、任意の漂遊Ｘ線を捕捉するために存在する鉛後方散乱シールド１１０が配置されている。後方散乱シールド１１０は、支持層１１２の一方の側に配置される。支持層１１２は、内部構造支持体を検出器１４に提供し、軽量で剛性の材料、例えば、マグネシウム合金で形成することができる。
【００２６】
シールド１１０の反対側で、支持層１１２は、撮像装置１０８に動作可能に接続されて検出器１４の動作を制御する電子機器１１４の取り付け点を提供する。電子機器１１４は、撮像装置１０８と相互に動作可能に接続されて、支持層１１２上に配置されるバッテリ１２０にも接続される、デジタル電子機器１１６および／またはスキャン／データ処理電子機器１１８を含むことができる。リアカバー１０４は、検出器１４内の様々な構成要素１０６から１２０のための剛性筐体１２２を提供するために、電子機器１１４に隣接するフロントカバー１０２および支持層１１２に固定される。
【００２７】
ここで図４から図５を参照すると、電子機器１１４とリアカバー１０４との間に、シャーシまたは充填材／力分散層１２４が配置されている。力分散層１２４は、電子機器層１１４とリアカバー１０４との間の先行技術の検出器に存在する空隙を充填するように形成される。力分散層１２４は、材料が検出器１４の全体的な重量を著しく増加させることなく、検出器１４に大きなショック吸収／力伝達特性を提供することができるように、高圧縮強度および低密度を有する材料から形成される。充填材／力分散層１２４を形成するのに使用される例示的な材料は、ハニカム材料、発泡体、ゲル、およびゴム状材料を含む。１つの例示的な実施形態では、充填材／力分散層１２４を形成する材料は、３から４０ｌｂｓ／ｆｔ３の密度を有し、６０から２５０ｐｓｉの圧縮強度を有する、一般に剛性のポリマ発泡材料である。そのような材料の例は、商品名ＬＡＳＴ−Ａ−ＦＯＡＭ（登録商標）で、ワシントン州タコマのＧｅｎｅｒａｌ  Ｐｌａｓｔｉｃｓ  Ｍｆｇ．Ｃｏ．によって販売されている剛性ポリウレタン発泡剤である。
【００２８】
充填材／力分散層１２４は、電子機器１１４とリアカバー１０４との間の検出器１４の内部の形状に全体的に対応する形状で形成され、電子機器層１４４上の様々な構成要素、例えば、デジタル電子機器１１６、スキャン／データ電子機器１１８、および／またはバッテリ１２０の形状に対応する開口部１２６を含む。この位置では、充填材／力分散層１２４の位置および組成により、層１２４は、検出器１４に作用または及ぼされる力を、検出器１４を介してフロントカバー１０２からリアカバー１０４に、またはその逆に、直接均一に伝達および／または分散することができる。検出器１４の内部全体にわたる充填材１２４の位置は、充填材／力分散層１２４が検出器１４全体にわたって支持層１１２とリアカバー１０４との間の接触を提供することを可能にする。層１２４の位置に関連して、充填材／力分散層１２４を形成する材料は、充填材／力分散層１２４が充填材／力分散層１２４の全領域にわたって検出器１４に力を効果的に分散することを可能にする。さらに、層１２４を形成する材料は、検出器１４内に配置された任意の耐荷重リブまたはショックマウントの必要性の排除および筐体１００のさらなる薄型化によって重量を減少させることができ、先行技術の検出器構造から１ｋｇ超、約１．２ｋｇの重量を減らすことができる。
【００２９】
図６の例示的な実施形態に示すように、開口部１２６を含む充填材１２４の構成では、充填材／力分散層１２４は、検出器１４のフロントカバー１０２またはリアカバー１０４に加えられる負荷または力が、充填材１２４を介して、負荷からの力を受けない電子機器層１１４上の影響を受けやすい構成要素の周りに伝達されるように、検出器１４の全体にわたって延在する。具体的には、図６に示す様に、デジタル電子機器１１６および／またはスキャン／データ電子機器１１８などの影響を受けやすい電子構成要素１３０のそれぞれを、またはそれらのグループを有するプリント回路基板（ＰＣＢ）１２８を用いた技術で少なくとも形成される電子機器層１１４のそれらの領域では、検出器１４のフロントカバー１０２に加えられる力が充填材１２４を通ってＰＣＢ１２８に、最終的には隣接層、例えば、リアカバー１０４および／または支持層１１２に分散されるように開口部１２６がＰＣＢ１２８上の構成要素１３０の周囲に密接に一致するように構成され得、充填材１２４は、ＰＣＢ１２８上に配置される影響を受けやすい構成要素１３０ではなくＰＣＢ１２８が、検出器１４を通る負荷に耐えるための経路の一部として機能することができる。さらに、充填材１２４は、充填材１２４の周囲と交差するチャネル１３２を含み、有線接続１３４が充填材１２４を通って延びて選択された構成要素１３０に接続することを可能にする。
【００３０】
充填材／力分散層１２４に所望の形状および特性を提供するために、充填材／力分散層１２４を様々な異なる適切な方法で形成することができる。例えば、充填材１２４を形成する材料は、任意の適切なプロセスを使用してバルクで形成され、続いて機械加工されるか、または他の方法で所望の形状に成形することができる。材料を充填材１２４にこのように成形することは、例えば、材料を、検出器１４内に充填材１２４を配置するための、および充填材／力分散層１２４内に開口部１２６を形成するための、全体的な形状を含む所望の形状にレーザ切断、機械加工、またはラスタ処理することを含むことができる。開口部１２６は、充填材／力分散層１２４を完全に貫通するように形成することができ、または充填材１２４を完全に通すことなく充填材１２４内に特定の深さまたは距離に延びるように成形することができる。あるいは、別の例示的な実施形態では、充填材１２４を形成する材料は、材料を検出器１４の内部に直接注入することによって成形することができ、材料は、検出器１４の特定の層の間の、充填材１２４が配置されるべき内部構成要素の周囲の負の空間の形状に適合し、充填される。
【００３１】
充填材／力分散層１２４の別の例示的な構造および形成方法では、図７および図８に示すように、充填材／力分散層１２４を形成する類似のまたは異なる材料の２枚のシート１３６、１３８を用いて充填材１２４を製造することができる。この例示的な実施形態では、開口部１２６は、一方のシート１３６内の、および／または一方のシート１３６を通る開口部１２６を切断、機械加工、ラスタリング、または他の方法で整形して、シート１３６を他方のシート１３８に固定することによって形成することができる。さらに、充填材／力分散層１２４を形成する１つまたは複数の層を含む例示的な実施形態では、充填材１２４は、適切で付加的な製造プロセスで形成することができ、充填材１２４の異なる部分で使用される材料および／または開口部１２６の構成が、充填材１２４の製造中に密接に制御されることを可能にする。
【００３２】
さらに、充填材／力分散層１２４が複数の層または材料を含む例示的な実施形態では、充填材１２４は、剛性プラスチック層１３６が、検出器１４内のＰＣＢ１２８のような接触面上に、または接触面の反対に配置される、軟質ゴムまたは他のクッション材料の層１３８と組み合わされて形成され得る。この例示的な実施形態では、軟質材料形成層１３８は、充填材１２４のショック吸収能力を最適化するように形成され、充填材１２４が、層１３８の接触点と検出器１４内の他の構成要素および／または層との間のショックマウントとして機能することを可能にする。さらに、充填材／力分散層１２４は、回路基板１２８、リアカバー１０４、フロントカバー１０２、および／または検出器１４の層が、充填材１２４に適切な方法で、任意の適切な接着剤または機械的締結具を使用することなどによって、直接取り付けられることを可能にするシャーシとして機能することができる。
【００３３】
前述の例示的な実施形態のいずれにおいても、充填材／力分散層１２４は、充填材１２４を形成する材料を含むようにコーティングまたはシールされ、検出器１４内の層１２４を形成する材料の粒子／粉塵の散布を避け、ならびに／もしくは層１２４を形成する材料に帯電防止および／または静電特性強化コーティング、または難燃コーティングなどの他の属性および／または増強を加えることができる。
【００３４】
本明細書は、本発明を開示するために実施例を用いており、最良の形態を含んでいる。また、いかなる当業者も本発明を実施することができるように実施例を用いており、任意の装置またはシステムを製作し使用し、任意の組み込まれた方法を実行することを含んでいる。本発明の特許可能な範囲は、特許請求の範囲によって定義され、当業者に想起される他の例を含み得るものである。このような他の実施例が特許請求の範囲の字義通りの文言と異ならない構造要素を有する場合、または、それらが特許請求の範囲の字義通りの文言と実質的な差異がない等価な構造要素を含む場合には、このような他の実施例は特許請求の範囲内であることを意図している。
【符号の説明】
【００３５】
１０  医用撮像システム、デジタル放射線撮像システム
１２  Ｘ線源
１４  検出器
１６  ガントリ
１８  被験者
２０  充電ビン
２２  カセットホルダ
２４  壁
２６  支柱
３０  撮像ワークステーション
３１  撮像テーブル
３３  テーブル
１００  ハウジング、筐体
１０２  剛性フロントカバー
１０４  リアカバー
１０６  発泡体層
１０８  撮像装置
１１０  鉛後方散乱シールド
１１２  支持層
１１４  電子機器層
１１６  デジタル電子機器
１１８  スキャン／データ処理電子機器
１２０  バッテリ
１２２  剛性筐体
１２４  充填材／力分散層
１２６  開口部
１２８  プリント回路基板（ＰＣＢ）
１３０  電子構成要素
１３２  チャネル
１３４  有線接続
１３６  シート、剛性プラスチック層
１３８  シート、軟質材量形成層
１４４  電子機器層
【図１】
2019066464.tif 000003
【図２】
2019066464.tif 000004
【図３】
2019066464.tif 000005
【図４】
2019066464.tif 000006
【図５】
2019066464.tif 000007
【図６】
2019066464.tif 000008
【図７】
2019066464.tif 000009
【外国語明細書】
2019066464000001.pdf